(57)【要約】  携帯端末（１−１）及び携帯端末（１−２）を含んで構成される画像情報共有システム（６）において、携帯端末（１−１）及び携帯端末（１−２）はいずれも、ネットワーク（３）上に設置され、複数の画像ファイルを記憶する画像データベース（４）とアクセス可能に構成され、携帯端末（１−１）は、画像データベース（４）に記憶される画像ファイルのネットワーク（３）上におけるアドレスを示すアドレス情報を取得し、取得されたアドレス情報を、携帯端末（１−２）に対して送信し、携帯端末（１−２）は、携帯端末（１−１）から、アドレス情報を受信し、受信したアドレス情報に基づき、画像データベース４から画像ファイルを取得し、取得された画像ファイルを表示する。
2007097253.tif 000002
【特許請求の範囲】
【請求項１】
第１のコンピュータ及び第２のコンピュータを含んで構成される画像情報共有システムであって、
前記第１のコンピュータ及び前記第２のコンピュータはいずれも、ネットワーク上に設置され、複数の画像ファイルを記憶する画像データベースとアクセス可能に構成され、
前記第１のコンピュータは、
前記画像データベースに記憶される画像ファイルの前記ネットワーク上におけるアドレスを示すアドレス情報を取得する取得手段と、
前記取得手段により取得されたアドレス情報を、前記第２のコンピュータに対して送信する第１コンピュータ送信手段と、
を含み、
前記第２のコンピュータは、
前記第１のコンピュータから、前記アドレス情報を受信する第２コンピュータ受信手段と、
前記第２コンピュータ受信手段により受信したアドレス情報に基づき、前記画像データベースから画像ファイルを取得する画像ファイル取得手段と、
前記画像ファイル取得手段により取得された画像ファイルを表示する第２コンピュータ表示手段と、
を含む、
ことを特徴とする画像情報共有システム。
【請求項２】
請求の範囲第１項に記載の画像情報共有システムにおいて、
前記第２のコンピュータは、
前記第２コンピュータ表示手段により表示が完了したことを示す表示完了通知を、前記第１のコンピュータに対して送信する第２コンピュータ送信手段と、
をさらに含み、
前記第１のコンピュータは、
前記第２のコンピュータから、前記表示完了通知を受信する第１コンピュータ受信手段と、
前記第１コンピュータ受信手段により前記表示完了通知が受信された場合に、その旨を示す情報を当該コンピュータのユーザに対して通知する通知手段と、
をさらに含む、
ことを特徴とする画像情報共有システム。
【請求項３】
請求の範囲第１項又は第２項に記載の画像情報共有システムにおいて、
前記第１のコンピュータと前記第２のコンピュータとはパケット通信上で音声通信を行い、
前記第１コンピュータ送信手段は、前記音声通信にかかるパケットの一部に、前記アドレス情報を含めて送信する、
ことを特徴とする画像情報共有システム。
【請求項４】
請求の範囲第３項に記載の画像情報共有システムにおいて、
前記第１のコンピュータは、
タッチパネルを備え、
前記取得手段により取得されたアドレス情報により示される画像ファイルを、前記タッチパネル上に表示する第１コンピュータ表示手段と、
前記タッチパネル上において所定のタッチ操作が行われた場合に、該タッチ操作により示される表示画像上の位置を取得するタッチ位置取得手段と、
をさらに含み、
前記第１コンピュータ送信手段は、前記タッチ位置取得手段により取得された位置を示す位置情報を、前記音声通信にかかるパケットの一部に含めて送信し、
前記第２コンピュータ表示手段は、前記音声通信にかかるパケットから前記位置情報を取得し、表示画像上の該位置情報により示される位置に所定の画像を表示する、
ことを特徴とする画像情報共有システム。
【発明の詳細な説明】
【技術分野】
【０００１】
本発明は画像情報共有システムに関し、特に地図画像の共有化のための技術に関する。
【背景技術】
【０００２】
人が街角などで待ち合わせをする際に、画像情報共有システムが利用されることがある。この地図情報表示システムは携帯電話やパソコンなどの複数のコンピュータから構成されるものであって、予めコンピュータ間で画像ファイルを共有化し、各コンピュータにおいて同じ地図画像を表示することにより、あるコンピュータユーザが、遠隔地にいる他のコンピュータユーザと同じ地図画像を参照することを可能にしたものである。【０００３】
特許文献１には、この画像情報共有システムに関する技術が開示されている。ファイル内容送信モードとファイル名送信モードの２種類のモードのうちのいずれかにより、コンピュータ間での地図画像ファイルの共有化が行われる。【０００４】
ファイル内容送信モードでは、一方のコンピュータから他方のコンピュータに画像ファイル自体が送信される。他方のコンピュータはこうして画像ファイルを受信することにより、画像ファイルを取得する。【０００５】
ファイル名送信モードでは、一方のコンピュータから他方のコンピュータに画像ファイルのファイル名のみが送信される。他方のコンピュータは予めいくつかの画像ファイルを記憶しており、受信したファイル名に基づき、記憶している画像ファイルの中から１の画像ファイルを取得する。
【特許文献１】特開２００４−２２１８４２号公報（第００７２段落）
【発明の開示】
【発明が解決しようとする課題】
【０００６】
ファイル内容送信モードでは画像ファイル自体が送信されるが、画像ファイルは比較的サイズが大きいことが多く、共有化が完了するまでに時間がかかるという問題がある。一方、ファイル名送信モードでは他方のコンピュータとの間で予めファイル名と画像ファイルを共有しておく必要があり、共有できていない場合にはファイル名送信モードを利用できないという問題がある。【０００７】
従って、本発明の課題の一つは、予めファイル名と画像ファイルを共有しておかなくとも、画像ファイル自体を送信せずに地図画像の共有化が行える画像情報共有システムを提供することにある。
【課題を解決するための手段】
【０００８】
上記課題を解決するための本発明にかかる画像情報共有システムは、第１のコンピュータ及び第２のコンピュータを含んで構成される画像情報共有システムであって、前記第１のコンピュータ及び前記第２のコンピュータはいずれも、ネットワーク上に設置され、複数の画像ファイルを記憶する画像データベースとアクセス可能に構成され、前記第１のコンピュータは、前記画像データベースに記憶される画像ファイルの前記ネットワーク上におけるアドレスを示すアドレス情報を取得する取得手段と、前記取得手段により取得されたアドレス情報を、前記第２のコンピュータに対して送信する第１コンピュータ送信手段と、を含み、前記第２のコンピュータは、前記第１のコンピュータから、前記アドレス情報を受信する第２コンピュータ受信手段と、前記第２コンピュータ受信手段により受信したアドレス情報に基づき、前記画像データベースから画像ファイルを取得する画像ファイル取得手段と、前記画像ファイル取得手段により取得された画像ファイルを表示する第２コンピュータ表示手段と、を含む、ことを特徴とする。【０００９】
これによれば、画像ファイルのアドレス情報を利用しているので、第１のコンピュータと第２のコンピュータの間で予めファイル名と画像ファイルを共有しておかなくとも、画像ファイル自体を送信せずに地図画像の共有化が行える。【００１０】
また、上記画像情報共有システムにおいて、前記第２のコンピュータは、前記第２コンピュータ表示手段により表示が完了したことを示す表示完了通知を、前記第１のコンピュータに対して送信する第２コンピュータ送信手段と、をさらに含み、前記第１のコンピュータは、前記第２のコンピュータから、前記表示完了通知を受信する第１コンピュータ受信手段と、前記第１コンピュータ受信手段により前記表示完了通知が受信された場合に、その旨を示す情報を当該コンピュータのユーザに対して通知する通知手段と、をさらに含む、こととしてもよい。【００１１】
これによれば、第１のコンピュータのユーザは、通知手段により行われる通知により第２のコンピュータで画像ファイルが表示されたことを知ることができるので、双方のコンピュータに地図画像が表示された状態で、例えば地図の説明を開始するようにすることができる。【００１２】
さらに、上記各画像情報共有システムにおいて、前記第１のコンピュータと前記第２のコンピュータとはパケット通信上で音声通信を行い、前記第１コンピュータ送信手段は、前記音声通信にかかるパケットの一部に、前記アドレス情報を含めて送信する、こととしてもよい。【００１３】
これによれば、パケット通信上での音声通信（ＶｏＩＰ(Voice over IP)通信）をしつつ、地図画像の共有化をすることができる。【００１４】
さらに、この画像情報共有システムにおいて、前記第１のコンピュータは、タッチパネルを備え、前記取得手段により取得されたアドレス情報により示される画像ファイルを、前記タッチパネル上に表示する第１コンピュータ表示手段と、前記タッチパネル上において所定のタッチ操作が行われた場合に、該タッチ操作により示される表示画像上の位置を取得するタッチ位置取得手段と、をさらに含み、前記第１コンピュータ送信手段は、前記タッチ位置取得手段により取得された位置を示す位置情報を、前記音声通信にかかるパケットの一部に含めて送信し、前記第２コンピュータ表示手段は、前記音声通信にかかるパケットから前記位置情報を取得し、表示画像上の該位置情報により示される位置に所定の画像を表示する、こととしてもよい。【００１５】
これによれば、第１のコンピュータのユーザは、地図上の位置を指定しながら、道案内をすることができるようになる。
【図面の簡単な説明】
【００１６】
【図１】本発明の実施の形態に係る携帯端末のハードウェア構成を示す図である。
【図２】本実施の形態にかかる画像情報共有システムのシステム構成及び携帯電話の内部構成を示す図である。
【図３】本発明の実施の形態に係る携帯端末のＣＰＵの機能ブロックを示す図である。
【図４】本発明の実施の形態に係る携帯端末において表示される地図画像を示す図である。
【図５】本発明の実施の形態に係るデジタル信号、アドレス情報、及びタッチ位置情報を含むパケットを示す図である。
【図６】本発明の実施の形態に係る携帯端末の処理フローを示す図である。
【発明を実施するための最良の形態】
【００１７】
本発明の実施の形態について、図面を参照しながら説明する。【００１８】
図１は、本実施の形態にかかる携帯端末１のハードウェア構成を示す図である。また、図２は、本実施の形態にかかる画像情報共有システム６のシステム構成及び携帯端末１の内部構成を示す図である。図１及び図２に示すように、携帯端末１は折り畳み式の携帯電話として使用されるコンピュータであり、タッチパネル１０、ＬＣＤ(liquid crystal monitor:液晶ディスプレイ)１２、アンテナ１４、電源ボタン１６、決定ボタン１８、スクロールボタンセット２０、スピーカ２２、マイク２４、ＣＰＵ３０、メモリ５０、無線部６０を含んで構成される。また、図２に示すように、画像情報共有システム６は、複数の携帯端末１、複数の基地局装置２、ネットワーク３、画像データベース４、ＳＩＰサーバ５を含んで構成される。【００１９】
まず、携帯端末１について説明する。ＣＰＵ３０は、メモリ５０に記憶されるプログラムを実行するための処理ユニットであり、各装置の各部を制御する処理を行うとともに、後述する各機能を実現する。メモリ５０は本実施の形態を実施するためのプログラムやデータを記憶している。また、ＣＰＵ３０のワークメモリとしても動作する。【００２０】
タッチパネル１０はスクリーンを備え、ＣＰＵ３０から入力される画像を該スクリーン上に表示するとともに、ユーザがスタイラス等により該スクリーン上をタッチした場合、スクリーン上におけるタッチ点の座標をＣＰＵ３０に対して出力する。【００２１】
ＬＣＤ１２はＣＰＵ３０から入力される画像を表示する。【００２２】
アンテナ１４及び無線部６０は、ＣＰＵ３０の指示に従い、基地局装置２との間で無線通信を行う。無線部６０にはＩＰアドレスが付与されており、携帯端末１は、このＩＰアドレスを利用して、ネットワーク３を介し、他の携帯端末１や画像データベース４などの他の通信装置との間でＩＰパケット通信を行う。【００２３】
電源ボタン１６、決定ボタン１８、スクロールボタンセット２０は、いずれも携帯端末１のハードウェア入力キーである。電源ボタン１６は、所定時間以内の押下操作により、オンフック／オフフックボタンとして機能し、所定時間を越えて連続する押下操作（いわゆる長押し操作）により、電源オン／オフボタンとして機能する。スクロールボタンセット２０は、少なくとも２つ（望ましくは４つ）のスクロールボタンのセットにより構成され、スクロールボタンの押下操作により、ＬＣＤ１２やタッチパネル１０において表示される画像が上下（及び左右）にスクロールするよう構成される。また、このスクロールに伴い、表示される画像のうち選択可能なエリアが順次選択される。決定ボタン１８は、その押下操作が、こうして選択されたエリアのクリック操作となるよう、構成される。【００２４】
スピーカ２２は音声出力装置であり、ＣＰＵ３０から入力された電気信号を音声に変換して出力する。マイク２４は音声入力装置であり、ユーザが入力した音声を受け付けて電気信号に変換し、ＣＰＵ３０に出力する。【００２５】
次に、画像情報共有システム６について説明する。携帯端末１、基地局装置２、及びネットワーク３の一部は、移動体通信システムを構成する。また、ネットワーク３の他の一部はインターネットである。携帯端末１は、移動体通信システムを利用して互いに通信可能に構成されるとともに、インターネット上の任意のデータベースにアクセス可能に構成される。【００２６】
画像データベース４はインターネット上に設置されるデータベースであり、多数の地図画像ファイルを記憶している。各地図画像ファイルは、インターネット上のアドレス（ＵＲＬ: Uniform Resource Locator）により特定される。【００２７】
ＳＩＰサーバ５は電話番号とＩＰアドレスとを対応付けて記憶しているサーバであり、携帯端末１が行うＩＰパケット通信において、電話番号で通信先を特定する場合、電話番号とＩＰアドレスの変換を行う。【００２８】
携帯端末１は、他の携帯端末１との間で地図画像ファイルを共有化し、両携帯端末１に同じ地図画像を表示するための機能を有する。ユーザは、これを利用して道案内を行う。以下、携帯端末１のこの機能について、携帯端末１の機能ブロックを参照しながら詳細に説明する。【００２９】
図３は、ＣＰＵ３０の機能ブロックを示す図である。同図では説明のために携帯端末１−１と携帯端末１−２に分けて機能ブロックを記載しているが、これらの各機能ブロックは通常１つの携帯端末１に備えられるものである。ここでは、携帯端末１−２のユーザが、携帯端末１−１のユーザに対して道案内を依頼する場合を例にとって説明する。なお以下では、符号に「−１」をつけた場合には携帯端末１−１に含まれる構成を、「−２」をつけた場合には携帯端末１−２に含まれる構成をそれぞれ示す。【００３０】
ＣＰＵ３０−１は、図３に示すように、機能的に送受信部３１−１、入力受付部３２−１、画像処理部３３−１、アドレス情報取得部３４−１、タッチ位置取得部３５−１、タッチ位置記憶部３６−１、通話処理部３７−１、通知部３８−１を含んで構成される。また、ＣＰＵ３０−２は、図３に示すように、送受信部３１−２、入力受付部３２−２、画像処理部３３−２、通話処理部３７−２、表示完了通知生成部３９−２を含んで構成される。【００３１】
送受信部３１は、画像データベース４や他の携帯端末１に対して送信すべき通信データを取得し、該通信データ及び宛先ＩＰアドレスを含むパケットを生成して送信する。具体的には、送受信部３１は、生成したパケットを無線部６０に出力する。無線部６０は、入力されたパケットを、基地局装置２に対して送信する。また、送受信部３１は、画像データベース４や他の携帯端末１が当該携帯端末１のＩＰアドレスに対して送信したパケットを受信する。具体的には、無線部６０が受信したパケットの入力を受ける。送受信部３１は、こうして受信したパケットから、その中に含まれる通信データを取得する。【００３２】
入力受付部３２は、タッチパネル１０及びハードウェア入力キーからの入力を受け付ける。【００３３】
携帯端末１−１と携帯端末１−２の間では、ＩＰパケット通信上での音声通信（ＶｏＩＰ通信）が行われる。以下では、このＶｏＩＰ通信に関する機能について説明する。【００３４】
通話処理部３７−２は、画像処理部３３−２に対し、タッチパネル１０−２上にキーパッド画像を表示させる。このキーパッド画像は、少なくとも０乃至９の数字キーを含んでなる画像である。ユーザは、これらのキーを押下することにより携帯端末１−１の電話番号を入力し、さらに電源ボタン１６−２を押下する。入力受付部３２−２はこうして入力された電話番号と、電源ボタン１６−２が押下されたことを示すオフフック情報と、を通話処理部３７−２に出力する。【００３５】
通話処理部３７−２は、入力受付部３２−２から電話番号とオフフック情報が入力されると、入力された電話番号により示される通信装置（ここでは携帯端末１−１）との間でＩＰ電話による通信を開始する。具体的には、通話処理部３７−２は、入力された電話番号を含む通信開始要求を送受信部３１−２に出力する。送受信部３１−２は、入力された通信開始要求をパケットに含め、ＳＩＰサーバ５に対して送信する。このパケットを受信したＳＩＰサーバ５は、該電話番号に対応付けて記憶しているＩＰアドレス（ここでは携帯端末１−１のＩＰアドレス）を取得し、携帯端末１−２に対して送信する。送受信部３１−２は、ＳＩＰサーバ５から受信したＩＰアドレスに対して、通信開始要求を再度送信する。【００３６】
送受信部３１−１は、携帯端末１−２が携帯端末１−１に対して送信した通信開始要求を含むパケットを受信すると、通信開始要求を取り出して通話処理部３７−１に出力する。通話処理部３７−１は、通信開始要求が入力されると、通信開始が要求された旨を示す着信画像を画像処理部３３−１に表示させるとともに、図示しないリンガを鳴動させる。着信画像の表示又はリンガの鳴動に気付いたユーザが携帯端末１−１の電源ボタン１６−１を押下すると、入力受付部３２−１は電源ボタン１６−１が押下されたことを示すオフフック情報を通話処理部３７−１に出力する。オフフック情報が入力されると、通話処理部３７−１は、通信開始応答を送受信部３１−１に出力するとともに、マイク２４−１から入力される電気信号の取得を開始する。【００３７】
通信開始応答を入力された送受信部３１−１は、該通信開始応答をパケットに含め、携帯端末１−２に対して送信する。【００３８】
送受信部３１−２は、携帯端末１−１が携帯端末１−２に対して送信した通信開始応答を含むパケットを受信すると、通信開始応答を取り出して通話処理部３７−２に出力する。通話処理部３７−２は、通信開始要求が入力されると、マイク２４−２から入力される電気信号の取得を開始する。【００３９】
このようにしてパケット通信が開始されると、携帯端末１−１及び携帯端末１−２それぞれの通話処理部３７は、マイク２４から入力される電気信号をデジタル信号に変換し、送受信部３１に出力する。そして送受信部３１は、通話処理部３７から入力されたデジタル信号をパケットに含め、送信する。【００４０】
さらに、送受信部３１は、他方の携帯端末１から送信されたパケットを受信すると、パケットに含まれるデジタル信号を通話処理部３７に対して出力する。通話処理部３７は、入力されたデジタル信号を電気信号に変換してスピーカ２２に出力する。スピーカ２２は、こうして入力された電気信号を音声に変換して出力する。【００４１】
以上のようにして、携帯端末１−１と携帯端末１−２の間でＶｏＩＰ通信が行われる。【００４２】
次に、携帯端末１−１と携帯端末１−２の間での地図画像ファイルの共有化に関する機能について説明する。【００４３】
タッチパネル１０−１又はハードウェア入力キーにおいて、ユーザが画像データベース４からの画像ファイルのダウンロードを指示するための画像ファイルダウンロード指示を入力すると、画像処理部３３−１は指示された画像ファイルを画像データベース４からダウンロードしてタッチパネル１０−１に表示する。【００４４】
具体的には、画像処理部３３−１は送受信部３１−１に対し、画像ファイルダウンロード指示を含む通信データを出力する。送受信部３１−１は、この通信データを画像データベース４に送信する。画像データベース４はこの画像ファイルダウンロード指示を受信し、指示された画像ファイルを含む通信データを携帯端末１−１に対して送信する。送受信部３１−１は、この通信データを取得し、その中に含まれる画像ファイルを画像処理部３３−１に対して出力する。画像処理部３３−１は、こうして入力された画像ファイルにより示される地図画像をタッチパネル１０−１に表示する。【００４５】
より具体的な例では、ユーザは地図画像情報サイトにアクセスし、そのサイトに備えられる地図画像表示ボタンを押下する。すると、そのサイトに備えられる画像データベース４から地図画像ファイルがダウンロードされ、タッチパネル１０−１に表示される。【００４６】
図４は、このとき表示される地図画像の例を示す図である。同図に示すように、地図画像には建物（図４では建物Ａと建物Ｂとが表示されている。）と道路とが表示される。【００４７】
次に、タッチパネル１０−１又はハードウェア入力キーにおいて、ユーザが送信先の携帯端末１を示す情報を含むアドレス情報送信指示を入力すると、アドレス情報取得部３４−１は、画像データベース４に記憶される画像ファイルであって、画像処理部３３−１がタッチパネル１０−１に表示している画像ファイルの、ネットワーク３上におけるアドレスを示すアドレス情報（具体的にはＵＲＬ。）を取得する。アドレス情報取得部３４−１は、こうして取得したアドレス情報を送受信部３１−１に出力する。【００４８】
タッチ位置取得部３５−１は、画像処理部３３−１により地図画像が表示されているタッチパネル１０−１上において所定のタッチ操作が行われた場合に、該タッチ操作により示される表示画像上の位置を取得し、タッチ位置記憶部３６−１に出力する。タッチ位置記憶部３６−１は、入力されたタッチ位置をメモリ５０−１に記憶させる。なお、タッチ位置取得部３５−１は、所定の周期（サンプリング周期）でこの取得を行う。これにより、ユーザが連続的にタッチパネル１０−１にタッチした場合（タッチパネル１０−１にタッチした状態を継続しつつ、そのタッチ位置を変化させた場合）には、タッチ位置取得部３５−１はサンプリング周期間隔で順次タッチ位置を取得する。この結果、メモリ５０−１に記憶される一連のタッチ位置が、タッチ位置の変化の軌跡を示すことになる。図４に示す黒丸印は、タッチ位置の変化の軌跡の例を示している。【００４９】
タッチ位置記憶部３６−１は、所定の周期でメモリ５０−１に記憶させた一連のタッチ位置を読み出し、これらを示すタッチ位置情報を送受信部３１−１に出力する。【００５０】
送受信部３１−１は、音声通信にかかるパケット（通話処理部３７−１から入力されるデジタル信号を含むパケット）の一部に、アドレス情報取得部３４−１から入力されたアドレス情報と、タッチ位置記憶部３６−１から入力されたタッチ位置情報と、を含めて送信する。図５は、このようにして送信されるパケットの具体的な例を示す図である。同図に示すパケットのように、送受信部３１−１は、１つのパケットにヘッダ、音声（通話処理部３７−１から入力されるデジタル信号）、データ（アドレス情報及びタッチ位置情報）を含めて送信する。【００５１】
送受信部３１−２は、送受信部３１−１が送信したパケットを受信し、その中に含まれるデジタル信号、アドレス情報、及びタッチ位置情報を取得し、デジタル信号を通話処理部３７−２に、アドレス情報及びタッチ位置情報を画像処理部３３−２に、それぞれ出力する。【００５２】
画像処理部３３−２は、アドレス情報が入力されると、入力されたアドレス情報に基づき、画像データベース４から画像ファイルをダウンロードして取得する。そして、取得した画像ファイルに含まれる地図画像をＬＣＤ１２−２又はタッチパネル１０−２に表示する。具体的には、画像処理部３３−２は、入力されたアドレス情報を含む画像ファイルダウンロード指示を生成し、画像処理部３３−１と同様な処理により、画像ファイルをダウンロードする。これによって、携帯端末１−１と携帯端末１−２は、同じ地図画像を同時に表示することになる。【００５３】
表示完了通知生成部３９−２は、画像処理部３３−２にアドレス情報が入力された場合、該アドレス情報に基づいて取得される画像ファイルの表示が完了するまで待機し、完了した場合に、表示が完了したことを示す表示完了通知を生成する。そして、この表示完了通知を、送受信部３１−２を介して携帯端末１−１に送信する。【００５４】
送受信部３１−１は、こうして送信された表示完了通知を受信すると、通知部３８−１に出力する。通知部３８−１は、表示完了通知が入力された場合に、その旨を示す情報を当該携帯端末１−１のユーザに対して通知する。図４には、この通知の具体的な例が示されている。図４では、タッチパネル１０の左上にボックス画像Ｃを表示することで、表示完了通知が入力されたことをユーザに対して通知している。なお、通知のために表示する画像はボックス画像以外の任意の画像でよいのは勿論であるし、例えばリンガ（不図示）を鳴動させることにより通知してもよいし、スピーカ２２から所定の音を出力することにより通知してもよいし、バイブレータ（不図示）を振動させることにより通知してもよい。【００５５】
画像処理部３３−２は、タッチ位置情報が入力された場合、表示画像上の該タッチ位置情報により示される位置に所定の画像を表示する。具体的には、入力されたタッチ位置情報により示される表示画像上の一連の位置のそれぞれに、所定半径の黒丸印を、ＬＣＤ１２−２又はタッチパネル１０−２に表示している地図画像上に重ねて表示する。【００５６】
以上のようにして、携帯端末１−１と携帯端末１−２の間で、地図画像ファイルの共有化が行われる。【００５７】
以上説明した処理を、処理のフロー図を参照しながら、より詳細に説明する。【００５８】
図６は、携帯端末１−１（道案内する側）と携帯端末１−２（道案内される側）において行われる処理のフローを示す図である。【００５９】
まず、携帯端末１−１と携帯端末１−２の間で音声通話が開始される（Ｓ１）。この音声通話にかかる会話の中で、携帯端末１−２のユーザが携帯端末１−１のユーザに対し道案内を依頼する（Ｓ２）と、携帯端末１−１のユーザは、音声通話を継続しつつ、地図を立ち上げる（Ｓ３）。具体的には、携帯端末１−１を用いて地図画像情報サイト（画像データベース４）にアクセスし、地図画像をタッチパネル１０−１上に表示させる。そして、ユーザがアドレス情報送信指示を入力する（Ｓ４）と、携帯端末１−１は表示している地図画像のアドレス情報を送信する（Ｓ５）。【００６０】
携帯端末１−２は、アドレス情報を受信すると、地図画像情報サイト（画像データベース４）にアクセスして画像ファイルをダウンロードし、タッチパネル１０−２又はＬＣＤ１２−２上に表示する（Ｓ６）。携帯端末１−２は、この表示が完了すると、携帯端末１−１に対して表示完了通知を送信する（Ｓ７）。【００６１】
携帯端末１−１は、表示完了通知を受信すると、表示完了通知が受信されたことを示す表示完了通知を実施する（Ｓ８）。また、タッチパネル１０−１上に表示している地図画像においてユーザがタッチ操作を行うと、一連のタッチ操作により得られるタッチ位置情報（道のり情報）を定期的に携帯端末１−２に対して送信する。携帯端末１−２は、こうして送信された道のり情報を受信し、表示している地図画像上に重ねて表示する（Ｓ１０）。【００６２】
道案内が終了すると、携帯端末１−１のユーザ又は携帯端末１−２のユーザのいずれかが電源ボタン１６を押下し、音声通信が切断される（Ｓ１１，Ｓ１２）。【００６３】
以上説明したように、画像情報共有システム６によれば、画像ファイルのアドレス情報を利用しているので、携帯端末１−１と携帯端末１−２の間で予めファイル名と画像ファイルを共有しておかなくとも、画像ファイル自体を送信せずに地図画像の共有化が行える。【００６４】
また、携帯端末１−１のユーザは、通知により携帯端末１−２で画像ファイルが表示されたことを知ることができるので、双方に地図画像が表示された状態で、例えば地図の説明を開始するようにすることができる。【００６５】
さらに、ＶｏＩＰ通信をしつつ、地図画像の共有化をすることができる。また、地図上の位置を指定しながら、道案内をすることができるようになる。【００６６】
なお、本発明は上記実施の形態に限定されるものではない。例えば、上記実施の形態では地図画像による道案内を行う場合を例に説明したが、本発明では地図画像に限らず、任意の画像の共有化を行うことができる。具体的な例では、ビルの構内図を共有化すれば、ビル内での移動について、水先案内を行うことができる。
【図１】
2007097253.tif 000003
【図２】
2007097253.tif 000004
【図３】
2007097253.tif 000005
【図４】
2007097253.tif 000006
【図５】
2007097253.tif 000007
【図６】
2007097253.tif 000008
【国際調査報告】
2007097253.tif 000009
2007097253.tif 000010